(57)【要約】      （修正有）【課題】フィルム状の現像剤崩し部材が、その一部に当該現像剤崩し部材の回転に伴い飛散される現像剤が軸受部へ移動するのを軸受部の壁面に接触して規制する規制部を備えない場合に比較して、現像剤搬送部材の軸受部に現像剤が侵入することにより、現像剤の凝集体が発生するのを抑制する。【解決手段】撹拌搬送部材の軸受部側の端部に装着され、撹拌搬送部材の軸受部側の端部に存在するトナーを崩すフィルム状のトナー崩し部材１７２と、トナー崩し部材１７２と一体に設けられ、軸受部の壁面１７１に接触してトナーの軸受部への侵入を規制する規制部材としてのトナー崩し部材１７２の接触端部１７２ｃと、を備える。【選択図】図１６
2018159808.tif 000002
【特許請求の範囲】
【請求項１】
現像剤搬送部材の軸受部側の端部に装着され、前記現像剤搬送部材の軸受部側の端部に存在する現像剤を崩すフィルム状の現像剤崩し部材と、
前記現像剤崩し部材と一体又は別体に設けられ、前記軸受部の壁面に接触して前記現像剤の前記軸受部への侵入を規制する規制部材と、
を備える現像剤搬送部材の封止構造。
【請求項２】
前記現像剤搬送部材は、現像剤供給口から供給される前記現像剤を搬送する部材であり、
前記規制部材は、前記現像剤供給口側の端部に設けられ、その先端が前記現像剤供給口の外部に突出する請求項１に記載の現像剤搬送部材の封止構造。
【請求項３】
前記現像剤崩し部材は、前記現像剤搬送部材に固定される固定端部と、前記現像剤搬送部材が回転する間に弾性変形した状態から自由形状に復元して前記現像剤を崩す自由端部と、前記軸受部の壁面に常時接触する接触端部とを有する略扇形状又は略三角形状に形成される請求項１又は２に記載の現像剤搬送部材の封止構造。
【請求項４】
前記規制部材は、前記現像剤崩し部材が前記現像剤の崩し動作を行う際の弾性変形を規制することで前記現像剤の飛散を抑制する請求項１乃至３のいずれかに記載の現像剤搬送部材の封止構造。
【請求項５】
前記規制部材は、前記現像剤崩し部材と一体に設けられる請求項４に記載の現像剤搬送部材の封止構造。
【請求項６】
前記規制部材は、前記軸受部の壁面に接触して当該軸受部の少なくとも一部を覆うことにより、前記現像剤崩し部材の回転に伴い飛散される前記現像剤が前記軸受部へ侵入するのを規制する請求項１乃至３のいずれかに記載の現像剤搬送部材の封止構造。
【請求項７】
前記規制部材は、前記現像剤崩し部材と一体に設けられ、前記現像剤崩し部材と前記規制部材との間には、切り込みが形成される請求項６に記載の現像剤搬送部材の封止構造。
【請求項８】
外部から供給される現像剤を装置本体の内部に搬送する現像剤搬送部材と、
前記現像剤搬送部材を軸支する軸受部に隣接して装着され、前記現像剤搬送部材の端部に存在する現像剤を崩すフィルム状の現像剤崩し部材と、
前記現像剤崩し部材と一体又は別体に設けられ、前記軸受部の壁面に接触して前記現像剤の前記軸受部への侵入を規制する規制部材と、
を備え、
前記現像剤搬送部材として請求項１乃至７のいずれかに記載の現像剤搬送部材の封止構造を適用した現像装置。
【請求項９】
潜像を保持する像保持体と、
前記像保持体に保持された潜像を現像剤により現像する現像手段と、
を備え、
前記現像手段として、請求項８に記載された現像装置を用いた画像形成装置。
【発明の詳細な説明】
【技術分野】
【０００１】
この発明は、現像剤搬送部材の封止構造、現像装置及び画像形成装置に関する。
【背景技術】
【０００２】
従来、現像装置においては、生産性向上のニーズに伴って、現像剤搬送部材の回転速度が高速化する傾向にある。現像装置は、現像剤搬送部材の回転速度が高速になると、現像剤搬送部材の軸受部で発生する摺動熱によってトナー同士が固着して“グリット”と呼ばれるトナーの凝集体（塊り）が生成される場合がある。現像装置の軸受部で“グリット”と呼ばれるトナーの凝集体が生成された場合には、当該トナーの凝集体が軸受部から現像装置の内部へ移動して現像に使用され、画像上に色点が発生する虞れを有している。特に、現像装置では、トナー供給口から供給されるトナーを崩すため、現像剤搬送部材にマイラーフィルムを装着する場合がある。かかる現像装置では、マイラーフィルムの弾性変形に伴ってトナー供給口から供給されたトナーが飛散し、トナー供給口に隣接する軸受部に侵入することで“グリット”が悪化する傾向にある。
【０００３】
そこで、軸受部にトナーが侵入することで発生する技術的課題に関連する先行技術としては、特許文献１及び２等に開示されたものが既に提案されている。
【０００４】
特許文献１は、現像装置内に配設されている回転部材の回転軸端部を軸支する軸受部材と回転部材との間に、現像装置内に収納されているトナーや現像剤の軸受部材の軸受部への侵入を防止するためのシール部材を配設する現像装置において、シール部材から軸受部材に侵入するトナーを排出するトナー排出口を軸受ハウジングに具備するように構成したものである。
【０００５】
特許文献２は、複写装置の駆動部分の軸受摺動部の周囲全てを覆って、軸受摺動部への異物の侵入を防止する筒状の本体カバーと、前記本体カバーを複写装置側に取り付ける取り付け手段と、を具備するように構成したものである。
【先行技術文献】
【特許文献】
【０００６】
【特許文献１】特開２０００−１４７９０４号公報
【特許文献２】特開平１０−２８７０２２号公報
【発明の概要】
【発明が解決しようとする課題】
【０００７】
この発明の目的は、フィルム状の現像剤崩し部材が、その一部に当該現像剤崩し部材の回転に伴い飛散される現像剤が軸受部へ移動するのを軸受部の壁面に接触して規制する規制部を備えない場合に比較して、現像剤搬送部材の軸受部に現像剤が侵入することにより、現像剤の凝集体が発生するのを抑制することにある。
【課題を解決するための手段】
【０００８】
請求項１に記載された発明は、現像剤搬送部材の軸受部側の端部に装着され、前記現像剤搬送部材の軸受部側の端部に存在する現像剤を崩すフィルム状の現像剤崩し部材と、
前記現像剤崩し部材と一体又は別体に設けられ、前記軸受部の壁面に接触して前記現像剤の前記軸受部への侵入を規制する規制部材と、
を備える現像剤搬送部材の封止構造である。
【０００９】
請求項２に記載された発明は、前記現像剤搬送部材は、現像剤供給口から供給される前記現像剤を搬送する部材であり、
前記規制部材は、前記現像剤供給口側の端部に設けられ、その先端が前記現像剤供給口の外部に突出する請求項１に記載の現像剤搬送部材の封止構造である。
【００１０】
請求項３に記載された発明は、前記現像剤崩し部材は、前記現像剤搬送部材に固定される固定端部と、前記現像剤搬送部材が回転する間に弾性変形した状態から自由形状に復元して前記現像剤を崩す自由端部と、前記軸受部の壁面に常時接触する接触端部とを有する略扇形状又は略三角形状に形成される請求項１又は２に記載の現像剤搬送部材の封止構造である。
【００１１】
請求項４に記載された発明は、前記規制部材は、前記現像剤崩し部材が前記現像剤の崩し動作を行う際の弾性変形を規制することで前記現像剤の飛散を抑制する請求項１乃至３のいずれかに記載の現像剤搬送部材の封止構造である。
【００１２】
請求項５に記載された発明は、前記規制部材は、前記現像剤崩し部材と一体に設けられる請求項４に記載の現像剤搬送部材の封止構造である。
【００１３】
請求項６に記載された発明は、前記規制部材は、前記軸受部の壁面に接触して当該軸受部の少なくとも一部を覆うことにより、前記現像剤崩し部材の回転に伴い飛散される前記現像剤が前記軸受部へ侵入するのを規制する請求項１乃至３のいずれかに記載の現像剤搬送部材の封止構造である。
【００１４】
請求項７に記載された発明は、前記規制部材は、前記現像剤崩し部材と一体に設けられ、前記現像剤崩し部材と前記規制部材との間には、切り込みが形成される請求項６に記載の現像剤搬送部材の封止構造である。
【００１５】
請求項８に記載された発明は、外部から供給される現像剤を装置本体の内部に搬送する現像剤搬送部材と、
前記現像剤搬送部材を軸支する軸受部に隣接して装着され、前記現像剤搬送部材の端部に存在する現像剤を崩すフィルム状の現像剤崩し部材と、
前記現像剤崩し部材と一体又は別体に設けられ、前記軸受部の壁面に接触して前記現像剤の前記軸受部への侵入を規制する規制部材と、
を備え、
前記現像剤搬送部材として請求項１乃至７のいずれかに記載の現像剤搬送部材の封止構造を適用した現像装置である。
【００１６】
請求項９に記載された発明は、潜像を保持する像保持体と、
前記像保持体に保持された潜像を現像剤により現像する現像手段と、
を備え、
前記現像手段として、請求項８に記載された現像装置を用いた画像形成装置である。
【発明の効果】
【００１７】
請求項１に記載された発明によれば、フィルム状の現像剤崩し部材が、その一部に当該現像剤崩し部材の回転に伴い飛散される現像剤が軸受部へ移動するのを軸受部の壁面に接触して規制する規制部を備えない場合に比較して、現像剤搬送部材の軸受部に現像剤が侵入することにより、現像剤の凝集体が発生するのを抑制することができる。
【００１８】
請求項２に記載された発明によれば、現像剤供給口から供給される現像剤を崩して確実に搬送しつつ、現像剤搬送部材の軸受部に現像剤が侵入することにより、現像剤の凝集体が発生するのを抑制することができる。
【００１９】
請求項３に記載された発明によれば、現像剤崩し部材を容易に形成することができる。
【００２０】
請求項４に記載された発明によれば、現像剤の飛散に起因して現像剤の凝集体が発生するのを抑制することができる。
【００２１】
請求項５に記載された発明によれば、部品点数が増加することなく、規制部材を設けることができる。
【００２２】
請求項６に記載された発明によれば、現像剤が軸受部へ侵入するのを規制することにより、現像剤の凝集体が発生するのを抑制することができる。
【００２３】
請求項７に記載された発明によれば、規制部材が現像剤の崩し効果に影響するのを低減できる。
【００２４】
請求項８に記載された発明によれば、簡易な構成で現像剤の凝集体が発生するのを抑制することができる。
【００２５】
請求項９に記載された発明によれば、請求項８に記載された現像装置を用いない場合に比較して、現像剤搬送部材の軸受部に現像剤が侵入することにより、現像剤の凝集体が発生するのを抑制することができ、現像剤の凝集体に起因した画質の低下を低減できる。
【図面の簡単な説明】
【００２６】
【図１】この発明の実施の形態１に係る現像剤搬送部材の封止構造及び現像装置を適用した画像形成装置を示す概略構成図である。
【図２】この発明の実施の形態１に係る画像形成装置の画像形成部を示す構成図である。
【図３】プロセスカートリッジを示す断面構成図である。
【図４】プロセスカートリッジを示す外観斜視図である。
【図５】プロセスカートリッジを示す背面構成図である。
【図６】プロセスカートリッジを示す外観斜視図である。
【図７】この発明の実施の形態１に係る現像剤搬送部材の封止構造を適用した現像装置を示す外観斜視図である。
【図８】現像装置のトナー供給部を示す正面構成図である。
【図９】現像装置のトナー供給部を示す斜視構成図である。
【図１０】現像装置のトナー供給部を示す一部判断の背面構成図である。
【図１１】この発明の実施の形態１に係る現像剤搬送部材の封止構造を適用した現像装置を示す概略構成図である。
【図１２】現像装置のトナー供給部を示す断面構成図である。
【図１３】トナー崩し部材を示す平面構成図である。
【図１４】トナー搬送部を示す平面構成図である。
【図１５】現像装置のトナー供給部の要部を示す斜視構成図である。
【図１６】現像装置のトナー供給部を示す斜視構成図である。
【図１７】現像装置のトナー供給部を示す断面構成図である。
【図１８】現像装置のトナー供給部を示す断面構成図である。
【図１９】この発明の実施の形態２に係る現像剤搬送部材の封止構造を適用した現像装置の要部を示す斜視構成図である。
【発明を実施するための形態】
【００２７】
以下に、この発明の実施の形態について図面を参照して説明する。
【００２８】
[実施の形態１]
図１及び図２は、実施の形態１に係る現像剤搬送部材の封止構造及び現像装置を適用した画像形成装置を示すものである。図１はその画像形成装置の全体の概要を示し、図２はその画像形成装置における要部（作像装置など）を拡大して示している。
【００２９】
＜画像形成装置の全体の構成＞
実施の形態１に係る画像形成装置１は、例えばカラープリンタとして構成されたものである。この画像形成装置１は、現像剤４を構成するトナーで現像されるトナー像を形成する画像形成部の一例としての複数の作像装置１０と、各作像装置１０で形成されたトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置５０と、中間転写装置２０で二次転写された記録用紙５上のトナー像を定着させる定着装置４０等を備えている。なお、図中の１ａは画像形成装置１の装置本体を示し、この装置本体１ａは支持構造部材、外装カバー等で形成されている。
【００３０】
作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成される。これらの４つの作像装置１０（Ｙ，Ｍ，Ｃ，Ｋ）は、装置本体１ａの内部空間において傾斜した状態で１列に並べた状態となるよう配置されている。４つの作像装置１０（Ｙ，Ｍ，Ｃ，Ｋ）は、イエロー（Ｙ）の作像装置１０Ｙが鉛直方向に沿った上方に位置して相対的に高く、ブラック（Ｋ）の作像装置１０Ｋが相対的に低くなる位置に存在している。
【００３１】
イエロー（Ｙ）、マゼンタ（Ｍ）、シアン（Ｃ）及びブラック（Ｋ）の各作像装置１０（Ｙ，Ｍ，Ｃ，Ｋ）は、図１や図２に示されるように、静電潜像を保持する像保持体の一例としての回転する感光体ドラム１１を備えており、この感光体ドラム１１の周囲に、次のようなトナー像形成手段の一例としての各装置が主に配置されている。主な装置とは、感光体ドラム１１の像形成が可能な周面（像保持面）を所要の電位に帯電させる帯電装置１２と、感光体ドラム１１の帯電された周面に画像の情報（信号）に基づく光を照射して電位差のある（各色用の）静電潜像を形成する静電潜像形成手段の一例としての露光装置１３と、その静電潜像を対応する色（Ｙ，Ｍ，Ｃ，Ｋ）の現像剤４のトナーで現像してトナー像にする現像装置１４（Ｙ，Ｍ，Ｃ，Ｋ）と、その各トナー像を中間転写装置２０に転写する一次転写手段の一例としての一次転写装置１５（Ｙ，Ｍ，Ｃ，Ｋ）と、一次転写後における感光体ドラム１１の像保持面に残留して付着するトナー等の付着物を取り除いて清掃するドラム清掃装置１６（Ｙ，Ｍ，Ｃ，Ｋ）等である。
【００３２】
感光体ドラム１１は、接地処理される円筒状又は円柱状の基材の周面に感光材料からなる光導電性層（感光層）を有する像保持面を形成したものである。この感光体ドラム１１は、図示しない回転駆動装置から動力が伝達されて矢印Ａで示す方向に回転するように支持されている。
【００３３】
帯電装置１２は、感光体ドラム１１に接触した状態で配置される接触型の帯電ロールで構成される。帯電装置１２には帯電用電圧が供給される。帯電用電圧としては、現像装置１４が反転現像を行うものである場合、その現像装置１４から供給されるトナーの帯電極性と同じ極性の電圧又は電流が供給される。なお、帯電装置１２としては、感光体ドラム１１の表面に非接触状態で配置されるスコロトロン等の非接触型の帯電装置を用いてもよい。
【００３４】
露光装置１３は、画像形成装置１に入力される画像の情報に応じて構成される光を、帯電された後の感光体ドラム１１の周面に対して照射して静電潜像を形成するものである。露光装置１３には、潜像形成時になると画像形成装置１に任意の手段で入力される画像の情報（信号）が送信される。
【００３５】
露光装置１３は、感光体ドラム１１の軸方向に沿って配列された複数の発光素子としてのＬＥＤ（Light Emitting Diode）により感光体ドラム１１に画像情報に応じた光を照射して静電潜像を形成するＬＥＤプリントヘッドからなるものである。なお、露光装置１３としては、画像情報に応じて構成されるレーザー光を感光体ドラム１１の軸方向に沿って偏向走査するものを用いても良い。
【００３６】
現像装置１４（Ｙ，Ｍ，Ｃ，Ｋ）はいずれも、図２に示されるように、開口部と現像剤４の収容室が形成された現像剤収容容器の一例としての装置ハウジング１４０の内部に、現像剤４を保持して感光体ドラム１１と向き合う現像領域まで搬送する現像剤保持体の一例としての現像ロール１４１と、現像剤４を攪拌しながら現像ロール１４１を通過させるよう搬送するスクリューオーガー等からなる攪拌供給部材１４２及び攪拌搬送部材１４３と、現像ロール１４１に保持される現像剤の量（層厚）を規制する層厚規制部材１４４などを配置して構成したものである。この現像装置１４には、その現像ロール１４１と感光体ドラム１１の間に現像用電圧が図示しない電源装置から供給される。また、現像ロール１４１や攪拌供給部材１４２及び攪拌搬送部材１４３は、図示しない駆動装置からの動力が伝達されて所要の方向に回転する。さらに、上記４色の現像剤４（Ｙ，Ｍ，Ｃ，Ｋ）としては、非磁性トナーと磁性キャリアを含む二成分現像剤が使用される。なお、現像装置の構成については、後に詳述する。
【００３７】
一次転写装置１５（Ｙ，Ｍ，Ｃ，Ｋ）は、感光体ドラム１１の周囲に中間転写ベルト２１を介して接触し回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００３８】
ドラム清掃装置１６は、図２に示されるように、一部が開口する容器状の本体１６０と、一次転写後の感光体ドラム１１の周面に所要の圧力で接触するように配置されて残留トナー等の付着物を取り除いて清掃する清掃板１６１と、清掃板１６１で取り除いたトナー等の付着物を回収して図示しない回収システムに送り出すよう搬送するスクリューオーガー等の送出部材１６２等で構成されている。清掃板１６１としては、ゴム等の材料からなる板状の部材（例えばブレード）が使用される。
【００３９】
中間転写装置２０は、図１に示されるように、各作像装置１０（Ｙ，Ｍ，Ｃ，Ｋ）の上方の位置に存在するように配置される。この中間転写装置２０は、感光体ドラム１１と一次転写装置１５（一次転写ロール）の間となる一次転写位置を通過しながら矢印Ｂで示す方向に回転する中間転写ベルト２１と、中間転写ベルト２１をその内面から所望の状態に保持して回転自在に支持する複数のベルト支持ロール２２〜２６と、ベルト支持ロール２５に支持されている中間転写ベルト２１の外周面（像保持面）側に配置されて中間転写ベルト２１上のトナー像を記録用紙５に二次転写させる二次転写部材の一例としての二次転写装置３０と、二次転写装置３０を通過した後に中間転写ベルト２１の外周面に残留して付着する転写残トナーや紙粉等の付着物を取り除いて清掃する本実施の形態に係る清掃装置の一例としてのベルト清掃装置２７とで主に構成されている。
【００４０】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は図示しない駆動装置によって回転駆動される駆動ロールとして構成され、ベルト支持ロール２３は中間転写ベルト２１の走行位置などを保持する面出しロールとして構成され、ベルト支持ロール２４は中間転写ベルト２１に張力を付与する張力付与ロールとして構成され、ベルト支持ロール２５は二次転写のバックアップロールとして構成され、ベルト支持ロール２６はベルト清掃装置２７が接触する中間転写ベルト２１を背面側から支持する支持ロールとして構成されている。
【００４１】
二次転写装置３０は、図１に示されるように、中間転写装置２０におけるベルト支持ロール２５に支持されている中間転写ベルト２１の外周面部分である二次転写位置において、中間転写ベルト２１の周面に接触して回転するとともに二次転写用電圧が供給される二次転写ロール３１を備えた接触型の転写装置である。また、二次転写ロール３１又は中間転写装置２０の支持ロール２５には、トナーの帯電極性と逆極性又は同極性を示す直流の電圧が二次転写用電圧として供給される。
【００４２】
ベルト清掃装置２７は、一部が開口する収容容器の一例としての本体２７０と、二次転写後の中間転写ベルト２１の周面に所要の圧力で接触するように配置されて残留トナー等の付着物を取り除いて清掃する清掃板２７１と、清掃板２７１で取り除いたトナー等の付着物を回収して図示しない回収システムに送り出すよう搬送するスクリューオーガー等の送出部材２７２等で構成されている。清掃板２７１としては、ゴム等の材料からなる板状の部材が使用される。
【００４３】
定着装置４０は、表面温度が所要の温度に保持されるよう加熱源によって加熱されるベルト形態又はドラム形態の加熱用回転体４１と、この加熱用回転体４１の軸方向にほぼ沿う状態で所定の圧力で接触して回転するベルト形態又はドラム形態の加圧用回転体４２などを配置して構成されたものである。この定着装置４０では、加熱用回転体４１と加圧用回転体４２が接触する接触部が所要の定着処理（加熱及び加圧）を行う定着処理部（ニップ部）となる。
【００４４】
給紙装置５０は、イエロー（Ｙ）、マゼンタ（Ｍ）、シアン（Ｃ）及びブラック（Ｋ）の作像装置１０（Ｙ，Ｍ，Ｃ，Ｋ）の下方側の位置に存在するように配置される。この給紙装置５０は、所望のサイズ、種類等の記録用紙５を積載した状態で収容する単数（又は複数）の用紙収容体５１と、用紙収容体５１から記録用紙５を１枚ずつ送り出す送出装置５２，５３とで主に構成されている。用紙収容体５１は、例えば、装置本体１ａの正面（使用者が操作時に向き合う側面）側、図示例では左側面側に引き出すことができるように取り付けられている。
【００４５】
記録用紙５としては、例えば、電子写真方式の複写機、プリンタ等に使用される普通紙、薄紙、ＯＨＰシート等が挙げられる。定着後における画像表面の平滑性をさらに向上させるには、記録媒体５の表面もできるだけ平滑であることが好ましく、例えば、普通紙の表面を樹脂等でコーティングしたコート紙、印刷用のアート紙等の坪量が相対的に大きい所謂厚紙なども使用することができる。
【００４６】
給紙装置５０と二次転写装置３０との間には、給紙装置５０から送り出される記録用紙５を二次転写位置まで搬送する単数（又は複数）の用紙搬送ロール対５４や搬送ガイド５５等で構成される給紙搬送路５６が設けられている。用紙搬送ロール対５４は、例えば記録用紙５の搬送時期を調整するロール（レジストロール）として構成されている。また、二次転写装置３０と定着装置４０との間には、二次転写装置３０の二次転写ロール３１から送り出される二次転写後の記録用紙５を定着装置４０まで搬送するための搬送ガイド５７，５８等が設けられている。さらに、装置本体１ａに形成される用紙の排出口に近い部分には、定着装置４０から送り出される定着後の記録用紙５を搬送ガイド５９を介して装置本体１ａの上部に設けられた用紙排出部６０に排出するための用紙排出ロール対６１が配置されている。
【００４７】
定着装置４０と用紙排出ロール対６１との間には、用紙搬送路を切り替える切替ゲート６２を備えている。用紙排出ロール対６１は、その回転方向が正転方向（排出方向）と逆転方向に切り替え可能となっている。記録用紙５の両面に画像を形成する場合には、片面に画像が形成された記録用紙５の後端が切替ゲート６２を通過した後、用紙排出ロール対６１の回転方向を正転方向（排出方向）から逆転方向に切り替える。用紙排出ロール対６１によって逆転方向に搬送される記録用紙５は、切替ゲート６２によって搬送経路が切り替えられ、略鉛直方向に沿うように形成された両面用搬送経路６３へと搬送される。両面用搬送経路６３は、表裏を反転させた状態で記録用紙５を用紙搬送ロール対５４へと搬送する用紙搬送ロール対６４と、搬送ガイド６５〜６８等を備えている。
【００４８】
図１中、符号７０は画像形成装置１の装置本体１ａの正面（図中、左側面）に開閉自在に設けられた手差しトレイを示しており、手差しトレイ７０と用紙搬送ロール対５４との間には、手差しトレイ７０に収容された記録用紙５を１枚ずつ送り出す送出装置７１と、複数の用紙搬送ロール対７２〜７４や搬送ガイド７５等で構成される手差し給紙搬送路７６が設けられている。
【００４９】
また、図１中符号１４５（Ｙ，Ｍ，Ｃ，Ｋ）は、紙面に垂直な方向に沿って複数配列され、対応する現像装置１４（Ｙ，Ｍ，Ｃ，Ｋ）に供給する少なくともトナーを含む現像剤を収容したトナーカートリッジをそれぞれ示している。
【００５０】
さらに、図１中符号１００は、画像形成装置１の動作を統括的に制御する制御装置を示している。制御装置１００は、図示しないＣＰＵ（Central Processing Unit）やＲＯＭ（Read  Only  Memory）、ＲＡＭ（Random  Access Memory）、あるいはこれらＣＰＵやＲＯＭ等を接続するバス、通信インターフェイスなどを備える。
【００５１】
＜画像形成装置の動作＞
以下、画像形成装置１による基本的な画像形成動作について説明する。
【００５２】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成する動作について説明する。
【００５３】
画像形成装置１は、制御装置１００が画像形成動作（プリント）の要求の指令情報を受けると、４つの作像装置１０（Ｙ，Ｍ，Ｃ，Ｋ）、中間転写装置２０、二次転写装置３０、定着装置４０等が始動する。
【００５４】
そして、各作像装置１０（Ｙ，Ｍ，Ｃ，Ｋ）においては、まず各感光体ドラム１１が矢印Ａで示す方向に回転し、各帯電装置１２が各感光体ドラム１１の表面を所要の極性（実施の形態１ではマイナス極性）及び電位にそれぞれ帯電させる。続いて、露光装置１３が、帯電後の感光体ドラム１１の表面に対し、画像形成装置１に入力される画像の情報を各色成分（Ｙ，Ｍ，Ｃ，Ｋ）に変換して得られる画像の信号に基づいて発光される光を照射し、その表面に所要の電位差で構成される各色成分の静電潜像をそれぞれ形成する。
【００５５】
続いて、各作像装置１０（Ｙ，Ｍ，Ｃ，Ｋ）が、感光体ドラム１１に形成された各色成分の静電潜像に対し、所要の極性（マイナス極性）に帯電された対応する色（Ｙ，Ｍ，Ｃ，Ｋ）のトナーを現像ロール１４１からそれぞれ供給して静電的に付着させて現像を行う。この現像により、各感光体ドラム１１に形成された各色成分の静電潜像は、その対応する色のトナーでそれぞれ現像された４色（Ｙ，Ｍ，Ｃ，Ｋ）のトナー像として顕像化される。
【００５６】
続いて、各作像装置１０（Ｙ，Ｍ，Ｃ，Ｋ）の感光体ドラム１１上に形成された各色のトナー像が一次転写位置まで搬送されると、一次転写装置１５（Ｙ，Ｍ，Ｃ，Ｋ）が、その各色のトナー像を中間転写装置２０の矢印Ｂで示す方向に回転する中間転写ベルト２１に対して順番に重ね合わされるような状態で一次転写させる。
【００５７】
また、一次転写が終了した各作像装置１０では、ドラム清掃装置１６が付着物を掻き取るように除去して感光体ドラム１１の表面を清掃する。これにより、各作像装置１０は、次の作像動作が可能な状態にされる。
【００５８】
続いて、中間転写装置２０では、中間転写ベルト２１の回転により一次転写されたトナー像を保持して二次転写位置まで搬送する。一方、給紙装置５０では、作像動作に合わせて所要の記録用紙５を給紙搬送路５６に送り出す。給紙搬送路５６では、レジストロールとしての用紙搬送ロール対５４が記録用紙５を転写時期に合わせて二次転写位置に送り出して供給する。
【００５９】
二次転写位置においては、二次転写装置３０の二次転写ロール３１が、中間転写ベルト２１上のトナー像を記録用紙５に一括して二次転写させる。また、二次転写が終了した中間転写装置２０では、ベルト清掃装置２７が、二次転写後の中間転写ベルト２１の表面に残留した転写残トナーや紙粉等の付着物を取り除いて清掃する。
【００６０】
続いて、トナー像が二次転写された記録用紙５は、中間転写ベルト２１と二次転写ロール３１から剥離された後に搬送ガイド５７，５８を介して定着装置４０まで搬送される。定着装置４０では、回転する加熱用回転体４１と加圧用回転体４２との間の接触部に二次転写後の記録用紙５を導入して通過させることにより、必要な定着処理（加熱及び加圧）をして未定着のトナー像を記録用紙５に定着させる。最後に、定着が終了した後の記録用紙５は、その片面への画像の形成を行うだけの画像形成動作のときは、用紙排出ロール対６１により、例えば、装置本体１ａの上部に設置された用紙排出部６０に排出される。
【００６１】
また、記録用紙５の両面に画像を形成するときは、片面に画像が形成された記録用紙５を用紙排出ロール対６１により用紙排出部６０に排出せずに、用紙排出ロール対６１が記録用紙５の後端を保持している間に当該用紙排出ロール対６１の回転方向を逆転方向に切り替える。用紙排出ロール対６１により逆方向に搬送される記録用紙５は、切替ゲート６２の上部を通過した後、用紙搬送ロール対６４や搬送ガイド６５〜６８等を備えた両面用搬送経路６３を介して表裏が反転された状態で用紙搬送ロール対５４へと再度搬送される。用紙搬送ロール対５４は、記録用紙５を転写時期に合わせて二次転写位置に送り出して供給し、記録用紙５の裏面に画像を形成し、用紙排出ロール対６１によって装置本体１ａの上部に設置された用紙排出部６０に排出する。
【００６２】
以上の動作により、４色のトナー像を組み合わせて構成されるフルカラー画像が形成された記録用紙５が出力される。
【００６３】
＜現像剤搬送部材の封止構造及び現像装置の構成＞
図３はこの発明の実施の形態1に係る現像剤搬送部材の封止構造を適用した現像装置を備えた画像形成ユニットを示す断面構成図である。
【００６４】
この実施の形態では、図３に示されるように、感光体ドラム１１と、この感光体ドラム１１の周囲に配置される帯電装置１２、現像装置１４、ドラム清掃装置１６からなる画像形成部材とが、画像形成ユニットの一例であるプロセスカートリッジ８０としてユニット化されて一体的に組み付けられている。なお、露光装置１３は、プロセスカートリッジ８０とは別に単独でユニット化されている。
【００６５】
図４はプロセスカートリッジ８０を装着方向に沿った手前側の斜め上方からみた外観斜視図であり、図５はプロセスカートリッジ８０を装着方向に沿った先端側（奥側）からみた側面図であり、図６はプロセスカートリッジ８０を装着方向に沿った奥側の斜め下方からみた外観斜視図である。
【００６６】
プロセスカートリッジ８０は、図４乃至図６に示されるように、感光体ドラム１１、帯電装置１２、現像装置１４、ドラム清掃装置１６を一体的にユニット化して装着した画像形成ユニット本体の一例としてのプロセスカートリッジ本体８１を備えている。図示の実施形態において、プロセスカートリッジ本体８１は、現像装置１４の筐体１４０やドラム清掃装置１６の本体１６０、更にはプロセスカートリッジ８０の装着方向に沿った手前側及び奥側の端部にそれぞれ配置されたフレーム部材８２，８３ａなどから構成されている。
【００６７】
感光体ドラム１１は、プロセスカートリッジ本体８１のフレーム部材８２，８３ａに回転自在に装着されている。一方、現像装置１４は、図５に示されるように、プロセスカートリッジ本体８１に対して上端部に位置する揺動支点１４６を中心にして、現像ロール１４１が感光体ドラム１１に対して接離する方向に揺動自在に取り付けられている。また、現像装置１４は、現像装置１４の装置ハウジング１４０と、感光体ドラム１１が回転自在に装着されたプロセスカートリッジ本体８１のフレーム部材８２，８３ａとの間に掛け渡されたコイルスプリング等の弾性部材１４７によって、現像ロール１４１の軸方向に沿った両端部に配置された間隙設定部材としての図示しないトラッキングロールが感光体ドラム１１の表面に当接するよう構成されている。このように構成することにより、感光体ドラム１１と現像ロール１４１との間隙（所謂ＤＲＳ）が所要の値に精度良く保持される。プロセスカートリッジ８０の装着方向に沿った先端側の端面には、図５及び図６に示されるように、感光体ドラム１１に駆動力を伝達する第１の駆動力伝達部７７と、現像ロール１４１に駆動力を伝達する第２の駆動力伝達部７８とが突出した状態でそれぞれ設けられている。なお、図５及び図６中、符号８３，８４は、プロセスカートリッジ８０を画像形成装置１の装置本体１ａに装着するための凹部をそれぞれ示している。
【００６８】
図７はこの実施の形態に係る現像装置をそれぞれ装着方向に沿った手前側及び奥側から観た形状を示す外観斜視図である。
【００６９】
現像装置１４は、図７に示されるように、装置ハウジング１４０の上部に設けられた開口部１４８から現像ロール１４１の一部が外部に露出している。また、現像装置１４の装置ハウジング１４０の背面側の端部には、対応するトナーカートリッジ１４５（（Ｙ，Ｍ，Ｃ，Ｋ）からトナーが供給されるトナー供給部１４９と、当該トナー供給部１４９に設けられた後述するトナー供給口を開閉する開閉部材１５０が設けられている。
【００７０】
現像装置１４のトナー供給部１４９は、図８に示されるように、プロセスカートリッジ８０を画像形成装置１の装置本体１ａに装着することにより、装置本体１ａ側に配置されたトナー供給装置１１０のトナー供給パイプ１１１の下端部に装着された供給部材１１２と連結される。その際、現像装置１４の開閉部材１５０は、供給部材１１２により押動されてコイルスプリング１５０ａの弾性力に抗して移動し後述するトナー供給口を開放する。
【００７１】
図９はプロセスカートリッジ８０を画像形成装置１の装置本体１ａに装着した状態を示す斜視構成図、図１０はプロセスカートリッジ８０を画像形成装置１の装置本体１ａに装着した状態を示す一部破断の背面構成図である。
【００７２】
現像装置１４は、プロセスカートリッジ８０を画像形成装置１の装置本体１ａに装着することにより、トナー供給装置１１０のトナー供給パイプ１１１からトナー供給口１５１を介してトナーが所要のタイミングで供給される。
【００７３】
現像装置１４は、図１１に示されるように、トナー供給部１４９のトナー供給口１５１から供給されたトナーを、撹拌搬送部材１４３によって軸方向に沿って搬送する。現像装置１４の装置ハウジング１４０の内部に供給されたトナーは、撹拌搬送部材１４３によって搬送される間に装置ハウジング１４０の内部に収容された現像剤４と撹拌されて摩擦帯電され所要の電荷が付与される。撹拌搬送部材１４３によって軸方向の端部まで搬送された現像剤４は、仕切り壁１５２の端部に開口された第１の開口部１５３を介して撹拌供給部材１４２へと受け渡される。撹拌搬送部材１４３の端部には、当該撹拌搬送部材１４３によって搬送された現像剤４を上流側へと戻す搬送羽根１５４が設けられている。
【００７４】
撹拌供給部材１４２へと受け渡された現像剤４は、現像ロール１４１に供給されつつ撹拌供給部材１４２の軸方向に沿って搬送される。撹拌供給部材１４２によって軸方向の端部まで搬送された現像剤４は、仕切り壁１５２の端部に開口された第２の開口部１５５を介して撹拌搬送部材１４３へと受け渡されて循環するように搬送される。
【００７５】
撹拌搬送部材１４３の供給側の端部には、図１２に示されるように、トナー供給口１５１から供給されたトナーを現像装置１４の装置ハウジング１４０の内部へと搬送するトナー搬送部１５６が設けられている。トナー搬送部１５６は、図示しない駆動手段によって回転駆動される回転軸１５７と、その外周に螺旋状に形成された搬送羽根１５８とから構成されている。トナー搬送部１５６の回転軸１５７の先端１５７ａは、軸受部材１５９を介して現像装置１４のトナー供給部１４９の端部に回転自在に支持されている。なお、図１２中、符号１７０はトナー搬送部１５５の回転軸１５６に設けられたフランジ部を、１７１は装置ハウジング１４０の軸受部材１５９側の側壁をそれぞれ示している。フランジ部１７０は、トナー供給口１５１から供給されたトナーが軸受部材１５９側へ移動するのを回避するために設けられている。
【００７６】
トナー搬送部１５６の軸受部材１５９に隣接する軸受部側の端部（トナー供給口１５１の上流側）には、トナー供給口１５１から供給されるトナーを崩すポリエチレンテレフタレート（ＰＥＴ）製のマイラーフィルム(商品名)等からなるトナー崩し部材１７２が装着されている。トナー搬送部１５６の回転軸１５７には、トナー崩し部材１７２を取り付けるための平面略Ｌ字形状の凸部１７３が一体的に形成されている。また、トナー崩し部材１７２の取付側の端部１７２ａには、トナー搬送部１５６の凸部１７３に対応した平面略Ｌ字形状の切り込み１７４（図１３参照）が形成されている。トナー崩し部材１７２は、平面略Ｌ字形状の切り込み１７４を介してトナー搬送部１５６の凸部１７３に圧入されることにより固定した状態で装着される。なお、トナー崩し部材１７２は、接着等の手段によってトナー搬送部１５６に装着しても勿論良い。
【００７７】
トナー崩し部材１７２は、図１３（ａ）（ｂ）に示されるように、例えば、平面略三角形状又は扇形状に形成される。トナー崩し部材１７２は、図１４及び図１５に示されるように、トナー搬送部１５６に固定される固定端部１７２ａと、トナー搬送部１５６が回転する間に弾性変形した状態から自由形状に復元して現像剤４の一例としてのトナーを崩す自由端部１７２ｂと、軸受部の壁面１７１に常時接触する当該トナー崩し部材１７２と一体的に形成された規制部材の一例としての接触端部１７２ｃとを有する。
【００７８】
更に説明すると、トナー崩し部材１７２は、現像装置１４の装置ハウジング１４０の軸受部側に延存する接触端部１７２ｃを有している。このトナー崩し部材１７２の接触端部１７２ｃは、図１６に示されるように、常時、現像装置１４の装置ハウジング１４０の軸受部側の端面１７１に接触して湾曲した形状となっている。また、トナー崩し部材１７２は、図１５に示されるように、トナー搬送部１５６の半径方向外方へ伸びた自由端部１７２ｂを有している。トナー崩し部材１７２の自由端部１７２ｂは、トナー搬送部１５６が１回転する間に少なくとも１回現像装置１４の装置ハウジング１４０の内壁に接触しない自由形状となる長さに設定されている。また、トナー崩し部材１７２は、自由端部１７２ｂ及び接触端部１７２ｃの双方とも先端がトナー供給口１５１から外部に突出するように構成されている。トナー崩し部材１７２の接触端部１７２ｃは、トナー供給口１５１の端縁もしくは外部のトナーを崩すことを目的としている。
【００７９】
更に付言すると、トナー崩し部材１６１が装着される現像装置１４のトナー供給部１４９は、図１７に示されるように、その断面形状が撹拌搬送部材１４３のトナー搬送部１５６の外周形状に対応した円筒形状の一部を成す円筒状部１４９ａと、円筒状部１４９ａに連続してトナー供給口１５１に向けて傾斜した傾斜板部１４９ｂとを有している。傾斜板部１４９ｂの上端は、トナー供給口１５１の開口端部と略等しい開口幅に開口されている。一方、トナー崩し部材１７２の自由端部１７２ｂの自由長は、傾斜板部１４９ｂの開口幅より短く設定されている。そのため、トナー搬送部１５６が１回転する間には、トナー崩し部材１７２の自由端部１７２ｂがトナー供給部１４９の傾斜板部１４９ｂの内壁から離間して自由形状に復帰する。その際、トナー崩し部材１７２の自由端部１７２ｂは、弾性変形した状態から自由形状に瞬間的に復帰するため、弾性復元力によって周囲に存在するトナーＴの凝集体を崩す作用を発揮する。
【００８０】
＜現像剤搬送部材の封止構造の作用＞
ところで、この実施の形態１に係る画像形成装置１では、図１及び図２に示されるように、イエロー（Ｙ）、マゼンタ（Ｍ）、シアン（Ｃ）及びブラック（Ｋ）の各作像装置１０（Ｙ，Ｍ，Ｃ，Ｋ）において、感光体ドラム１１上に形成された静電潜像が現像装置１４によって現像される。その際、各作像装置１０（Ｙ，Ｍ，Ｃ，Ｋ）の現像装置１４では、トナーが消費される。そのため、各作像装置１０（Ｙ，Ｍ，Ｃ，Ｋ）の現像装置１４には、図８乃至図１０に示されるように、トナー供給装置１１０によって所要のタイミングでトナーが供給される。
【００８１】
トナー供給装置１１０によって供給されたトナーは、トナー供給口１５１から現像装置１４の装置ハウジング１４０の内部へと落下した状態で供給される。現像装置１４は、図１２に示されるように、トナー供給口１５１から供給されたトナーを撹拌搬送部材１４３のトナー搬送部１５６によって装置ハウジング１４０の内部へと搬送する。
【００８２】
その際、撹拌搬送部材１４３のトナー搬送部１５６には、図１２及び図１６に示されるように、トナー崩し部材１７２が設けられている。トナー崩し部材１７２は、図１７及び図１８に示されるように、トナー搬送部１５６が１回転する間に自由端が弾性変形した状態から自由形状に弾性的に復帰する。そのため、トナー供給口１５１から供給されたトナーＴは、トナー崩し部材１７２の自由端部１７２ｂが弾性変形した状態から自由形状に復帰する際の弾性復元力によって崩される。このとき、トナー供給口１５１の内部に供給されたトナーＴは、図１７（ｂ）に示されるように、トナー崩し部材１７２の自由端部１７２ｂの弾性復元力により巻き上げられて飛散する場合がある。
【００８３】
ところで、この実施の形態では、図１２及び図１６に示されるように、トナー崩し部材１７２に軸受部材１５９側の端面１７１に常時接触する接触端部１７２ｃが設けられている。そのため、トナー崩し部材１７２は、図１７（ａ）（ｂ）に示されるように、自由端部１７２ｂが弾性変形した状態から自由形状に復帰する際において、接触端部１７２ｃが軸受部の端面１７１に常に接触した状態となっている。その結果、トナー崩し部材１７２は、自由端部１７２ｂが弾性変形した状態から自由形状に復帰する際の復元力が軸受部の端面１７１に常に接触した接触端部１７２ｃによって緩和され、トナーの巻き上げが抑制される。また、トナー崩し部材１７２は、図１６に示されるように、接触端部１７２ｃが軸受部の端面１７１に常時接触した状態で回転するため、軸受部の端面１７１をシーリングする作用を発揮する。したがって、トナー崩し部材１７２の接触端部１７２ｃによって巻き上げられたトナーが軸受部へ侵入することが抑制される。
【００８４】
このように、上記実施の形態に係る現像装置１４では、トナー崩し部材１７２によるトナーの巻き上げ及び巻き上げられたトナーが軸受部へ侵入することが抑制されるため、撹拌搬送部材１４３の軸受部にトナーが侵入することにより、トナーの凝集体が発生するのを抑制することができる。また、現像装置１４において、トナーの凝集体が発生することが抑制されるため、トナーの凝集体が現像されて画質が低下することも抑制される。
【００８５】
[実施の形態２]
図１９は、実施の形態２に係る現像剤搬送部材の封止構造を適用した現像装置の要部を示すものである。
【００８６】
前記実施の形態１の場合には、トナー崩し部材１７２の自由端部１７２ｂと接触端部１７２ｃを一体的に構成している。そのため、トナー崩し部材１７２では、上述したように、軸受部の端面１７１に接触端部１７２ｃが軸受部の端面１７１に常時接触した状態で回転するため、自由端部１７２ｂの弾性復元力を低減してトナーの飛散を抑制する作用が得られる。
【００８７】
その反面、トナー崩し部材１７２は、自由端部１７２ｂと接触端部１７２ｃを一体的に構成しているため、自由端部１７２ｂの弾性変形が抑制されてトナー崩し部材１７２の自由端部１７２ｂによるトナー崩し効果が制限される虞れがある。
【００８８】
そこで、この実施の形態２では、トナー崩し部材１７２の自由端部１７２ｂと接触端部１７２ｃとの間にスリット（切り込み）１８０を設けることにより、接触端部１７２ｃによる自由端部１７２ｂの弾性復元力を制限する効果を低減して、自由端部１７２ｂと接触端部１７２ｃとの機能を分離して独立させ、自由端部１７２ｂの弾性復元力によるトナー崩し効果を向上させるとともに、接触端部１７２ｃが軸受部の端面１７１に接触する度合いを高めることで、接触端部１７２ｃによるシール効果を向上させるように構成されている。
【００８９】
また、スリット（切り込み）１８０の長さは適宜設定することができる。スリット（切り込み）１８０の長さを相対的に長く設定した場合には、自由端部１７２ｂと接触端部１７２ｃとの機能を分離して独立させる作用が増大する。また、スリット（切り込み）１８０の長さを相対的に短く設定した場合には、自由端部１７２ｂと接触端部１７２ｃとの機能を分離して独立させる作用を制限し、両者の一対的な作用を向上させることができる。
【００９０】
なお、前記実施の形態では、画像形成装置としてイエロー（Ｙ）、マゼンタ（Ｍ）、シアン（Ｃ）及びブラック（Ｋ）の４色のトナー像を形成するフルカラー画像形成装置について説明したが、モノクロの画像を形成する画像形成装置についても同様に適用できることは勿論である。
【００９１】
また、前記実施の形態では、トナー崩し部材を平面略三角形状又は扇形状に形成した場合について説明したが、トナー崩し部材は、矩形状や台形状など他の形状に形成しても勿論良い。
【符号の説明】
【００９２】
１…画像形成装置
１ａ…画像形成装置本体
１１…感光体ドラム
１４…現像装置
１４１…現像ロール
１４２…供給搬送部材
１４３…撹拌搬送部材
１５６…トナー搬送部
１７２…トナー崩し部材
【図１】
2018159808.tif 000003
【図２】
2018159808.tif 000004
【図３】
2018159808.tif 000005
【図４】
2018159808.tif 000006
【図５】
2018159808.tif 000007
【図６】
2018159808.tif 000008
【図７】
2018159808.tif 000009
【図８】
2018159808.tif 000010
【図９】
2018159808.tif 000011
【図１０】
2018159808.tif 000012
【図１１】
2018159808.tif 000013
【図１２】
2018159808.tif 000014
【図１３】
2018159808.tif 000015
【図１４】
2018159808.tif 000016
【図１５】
2018159808.tif 000017
【図１６】
2018159808.tif 000018
【図１７】
2018159808.tif 000019
【図１８】
2018159808.tif 000020
【図１９】
2018159808.tif 000021